(57)【要約】【課題】始動入賞による図柄合わせ遊技を早く消化させることができるとともに、可変入賞部品の開閉体が動作不能となるような事態を防止できるパチンコ機を提供する。【解決手段】制御装置が図柄表示器５の表示画面５０を複数の表示領域に分割する画面分割手段４５と、始動入賞毎に異なる表示領域に図柄の変動表示及び停止表示を行わせる表示制御手段４２と、いずれか１つの表示領域において当たり図柄で停止表示された場合にその他の表示領域での当たり図柄での停止表示を禁止する禁止処理を行う禁止手段２８Ａとを備えた。【選択図】　　　　図１
2004105711.tif 000002
【特許請求の範囲】
【請求項１】
始動入賞部品への球の始動入賞により当たり外れ抽選を行うとともに、当たり外れ抽選結果による図柄を図柄表示器の表示画面に変動表示し、変動表示後に当たり図柄で停止表示された場合に可変入賞部品の開閉体の開閉処理を行い、この開閉処理における開閉体の開放中に球の可変入賞部品への入賞により球払出機構を払出駆動する制御装置を備えたパチンコ機において、制御装置が図柄表示器の表示画面を複数の表示領域に分割する画面分割手段と、始動入賞毎に異なる表示領域に図柄の変動表示及び停止表示を行わせる表示制御手段と、いずれか１つの表示領域において当たり図柄で停止表示された場合にその他の表示領域での当たり図柄での停止表示を禁止する禁止処理を行う禁止手段とを備えたことを特徴とするパチンコ機。
【請求項２】
画面分割手段が遊技開始後又は開閉処理後の最初の始動入賞により抽選で画面分割態様を決定し、当該抽選で決定された画面分割態様で表示画面を複数の表示領域に分割したことを特徴とする請求項１に記載のパチンコ機。
【請求項３】
制御装置が表示制御手段を有する表示制御装置と禁止手段を有する主制御装置とを備え、主制御装置及び表示制御装置がそれぞれ始動入賞による当たり外れ抽選結果を記憶する抽選結果記憶手段を備え、表示制御手段が表示制御装置の抽選結果記憶手段に記憶された抽選結果に基いて図柄の変動表示及び停止表示を行い、禁止手段が主制御装置の抽選結果記憶手段に抽選結果を記憶する際に図柄変動時間を計測するタイマを起動させて抽選結果による図柄変動時間の経過を判定する図柄変動時間経過判定手段と、この図柄変動時間経過判定手段により図柄変動表示時間が経過したと判定された抽選結果の当たり外れを認識する当たり外れ認識手段とを備え、当たり外れ認識手段が抽選結果の当たりを認識した場合に表示制御装置の抽選結果記憶手段に記憶されている当該当たりの抽選結果以外の抽選結果を消去して当該当たり抽選結果以外の抽選結果による当たり図柄での停止表示を禁止したことを特徴とする請求項１又は請求項２に記載のパチンコ機。
【請求項４】
当たり外れ認識手段が抽選結果の当たりを認識した場合に主制御装置の抽選結果記憶手段に記憶されている抽選結果の記憶をそのまま維持し、主制御装置が開閉処理の終了後に主制御装置の抽選結果記憶手段に記憶されている当たりの抽選結果以外の抽選結果を表示制御装置に再送することにより、表示制御手段が再送されてきた抽選結果を表示制御装置の抽選結果記憶手段に記憶して、この記憶した抽選結果に基いて図柄変動表示及び図柄停止表示を行うことを特徴とする請求項３に記載のパチンコ機。
【請求項５】
主制御装置が開閉処理中の始動入賞に基づく抽選結果を主制御装置の抽選結果記憶手段に記憶するとともに、開閉処理の終了後に主制御装置の抽選結果記憶手段に記憶されている抽選結果を表示制御装置に送出し、表示制御手段が送られてきた抽選結果を表示制御装置の抽選結果記憶手段に記憶して、この記憶した抽選結果に基いて図柄変動表示及び図柄停止表示を行うことを特徴とする請求項３に記載のパチンコ機。
【請求項６】
制御装置が表示制御手段と禁止手段とを有する表示制御装置と主制御装置とを備え、表示制御装置が主制御装置から送られてくる始動入賞による当たり外れ抽選結果を記憶する抽選結果記憶手段を備え、表示制御手段が抽選結果記憶手段に記憶された抽選結果に基いて図柄の変動表示及び停止表示を行い、禁止手段が抽選結果記憶手段に抽選結果を記憶する際に図柄変動時間を計測するタイマを起動させて抽選結果による図柄変動時間の経過を判定する図柄変動時間経過判定手段と、この図柄変動時間経過判定手段により図柄変動表示時間が経過したと判定された抽選結果の当たり外れを認識する当たり外れ認識手段とを備え、当たり外れ認識手段が抽選結果の当たりを認識した場合に抽選結果記憶手段に記憶されている当該当たりの抽選結果以外の抽選結果を消去して当該当たり抽選結果以外の抽選結果による当たり図柄での停止表示を禁止したことを特徴とする請求項１又は請求項２に記載のパチンコ機。
【請求項７】
表示制御装置が上記抽選結果記憶手段とは別の抽選結果記憶手段を備え、当たり外れ認識手段が抽選結果の当たりを認識した場合に当該当たりの抽選結果以外の抽選結果を上記抽選結果記憶手段から上記別の抽選結果記憶手段に転送して保存し、表示制御手段が開閉処理の終了後に上記別の抽選結果記憶手段に保存されている抽選結果を上記抽選結果記憶手段に記憶することにより、この抽選結果記憶手段に記憶された抽選結果に基いて図柄変動表示及び図柄停止表示を行うことを特徴とする請求項６に記載のパチンコ機。
【請求項８】
表示制御装置が上記抽選結果記憶手段とは別の抽選結果記憶手段を備え、表示制御手段が開閉処理中の始動入賞に基づく抽選結果を別の抽選結果記憶手段に保存し、表示制御手段が開閉処理の終了後に上記別の抽選結果記憶手段に保存されていた抽選結果を上記抽選結果記憶手段に記憶することにより、この抽選結果記憶手段に記憶された抽選結果に基いて図柄変動表示及び図柄停止表示を行うことを特徴とする請求項６に記載のパチンコ機。
【発明の詳細な説明】
【０００１】
【発明の属する技術分野】
本発明は図柄合わせ遊技を早く消化させるようにしたパチンコ機に関する。
【０００２】
【従来の技術】
従来、始動入賞メモリを備えたパチンコ機において、図柄表示器の表示画面を第１表示領域と第２表示領域とに分割し、始動入賞により第１表示領域で図柄変動表示が行われている最中にさらに始動入賞があった場合に第２表示領域に図柄変動表示を行うようにして図柄合わせ遊技を早く消化させるようにしたものが知られている（例えば、特許文献１参照）。
【０００３】
【特許文献１】
特開平９−２４１４１号公報
【０００４】
【発明が解決しようとする課題】
パチンコ機においては、始動入賞のタイミングに基いて当たり外れ抽選が行われ、抽選で当たりの場合には図柄表示器の表示画面に当たり図柄を停止表示させた後に可変入賞部品の開閉体を開閉する当たり遊技に移行する。特許文献１のパチンコ機では、始動入賞による当たり外れ抽選で連続して当たりとなった場合に第１表示領域と第２表示領域の両方に当たり図柄が停止表示される可能性がある。この場合、複数の当たりに対して１つの可変入賞部品の開閉体の開閉処理を行うので、開閉体のアクチュエータが相反する動作信号を受けて可変入賞部品の開閉体が動作不能となる可能性がある。
本発明は、始動入賞による図柄合わせ遊技を早く消化させることができるとともに、可変入賞部品の開閉体が動作不能となるような事態を防止できるパチンコ機を提供することを目的とする。
【０００５】
【課題を解決するための手段】
請求項１に係るパチンコ機では、始動入賞部品への球の始動入賞により当たり外れ抽選を行うとともに、当たり外れ抽選結果による図柄を図柄表示器の表示画面に変動表示し、変動表示後に当たり図柄で停止表示された場合に可変入賞部品の開閉体の開閉処理を行い、この開閉処理における開閉体の開放中に球の可変入賞部品への入賞により球払出機構を払出駆動する制御装置を備えたパチンコ機において、制御装置が図柄表示器の表示画面を複数の表示領域に分割する画面分割手段と、始動入賞毎に異なる表示領域に図柄の変動表示及び停止表示を行わせる表示制御手段と、いずれか１つの表示領域において当たり図柄で停止表示された場合にその他の表示領域での当たり図柄での停止表示を禁止する禁止処理を行う禁止手段とを備えたので、始動入賞による図柄合わせ遊技を早く消化させることができるとともに、可変入賞部品の開閉体が動作不能となるような事態を防止できるパチンコ機が得られる。
請求項２では、画面分割手段が遊技開始後又は開閉処理後の最初の始動入賞により抽選で画面分割態様を決定し、当該抽選で決定された画面分割態様で表示画面を複数の表示領域に分割したので、遊技開始後又は開閉処理後の最初の始動入賞に基いて画面分割数や画面分割形態等の画面分割態様が変わる可能性があり、遊技性を向上できる。
請求項３では、制御装置が表示制御手段を有する表示制御装置と禁止手段を有する主制御装置とを備え、主制御装置及び表示制御装置がそれぞれ始動入賞による当たり外れ抽選結果を記憶する抽選結果記憶手段を備え、表示制御手段が表示制御装置の抽選結果記憶手段に記憶された抽選結果に基いて図柄の変動表示及び停止表示を行い、禁止手段が主制御装置の抽選結果記憶手段に抽選結果を記憶する際に図柄変動時間を計測するタイマを起動させて抽選結果による図柄変動時間の経過を判定する図柄変動時間経過判定手段と、この図柄変動時間経過判定手段により図柄変動表示時間が経過したと判定された抽選結果の当たり外れを認識する当たり外れ認識手段とを備え、当たり外れ認識手段が抽選結果の当たりを認識した場合に表示制御装置の抽選結果記憶手段に記憶されている当該当たりの抽選結果以外の抽選結果を消去して当該当たり抽選結果以外の抽選結果による当たり図柄での停止表示を禁止した。よって、表示制御装置によって表示制御を行い、主制御装置側で図柄変動時間を監視して禁止処理を行うようにしたので、表示制御装置が表示制御のみに専念でき、表示制御の高速化が図れる。
請求項４では、当たり外れ認識手段が抽選結果の当たりを認識した場合に主制御装置の抽選結果記憶手段に記憶されている抽選結果の記憶をそのまま維持し、主制御装置が開閉処理の終了後に主制御装置の抽選結果記憶手段に記憶されている当たりの抽選結果以外の抽選結果を表示制御装置に再送することにより、表示制御手段が再送されてきた抽選結果を表示制御装置の抽選結果記憶手段に記憶して、この記憶した抽選結果に基いて図柄変動表示及び図柄停止表示を行うので、当たり遊技確定前に、当該当たり以外にも当たりが抽選されている場合において、この当たりの抽選結果が当たり遊技以後も持ち越されるので、遊技者に有利な遊技を提供できる。
請求項５では、主制御装置が開閉処理中の始動入賞に基づく抽選結果を主制御装置の抽選結果記憶手段に記憶するとともに、開閉処理の終了後に主制御装置の抽選結果記憶手段に記憶されている抽選結果を表示制御装置に送出し、表示制御手段が送られてきた抽選結果を表示制御装置の抽選結果記憶手段に記憶して、この記憶した抽選結果に基いて図柄変動表示及び図柄停止表示を行うので、当たり遊技の開閉処理中の始動入賞による抽選結果が当たり遊技の開閉処理終了後に持ち越されるので遊技者に有利な遊技を提供できる。
請求項６では、制御装置が表示制御手段と禁止手段とを有する表示制御装置と主制御装置とを備え、表示制御装置が主制御装置から送られてくる始動入賞による当たり外れ抽選結果を記憶する抽選結果記憶手段を備え、表示制御手段が抽選結果記憶手段に記憶された抽選結果に基いて図柄の変動表示及び停止表示を行い、禁止手段が抽選結果記憶手段に抽選結果を記憶する際に図柄変動時間を計測するタイマを起動させて抽選結果による図柄変動時間の経過を判定する図柄変動時間経過判定手段と、この図柄変動時間経過判定手段により図柄変動表示時間が経過したと判定された抽選結果の当たり外れを認識する当たり外れ認識手段とを備え、当たり外れ認識手段が抽選結果の当たりを認識した場合に抽選結果記憶手段に記憶されている当該当たりの抽選結果以外の抽選結果を消去して当該当たり抽選結果以外の抽選結果による当たり図柄での停止表示を禁止した。このように表示制御装置に禁止手段の機能を負担させることで、主制御装置の負担を軽減できる。
請求項７では、表示制御装置が上記抽選結果記憶手段とは別の抽選結果記憶手段を備え、当たり外れ認識手段が抽選結果の当たりを認識した場合に当該当たりの抽選結果以外の抽選結果を上記抽選結果記憶手段から上記別の抽選結果記憶手段に転送して保存し、表示制御手段が開閉処理の終了後に上記別の抽選結果記憶手段に保存されている抽選結果を上記抽選結果記憶手段に記憶することにより、この抽選結果記憶手段に記憶された抽選結果に基いて図柄変動表示及び図柄停止表示を行うので、請求項６の構成において請求項４の効果が得られる。
請求項８では、表示制御装置が上記抽選結果記憶手段とは別の抽選結果記憶手段を備え、表示制御手段が開閉処理中の始動入賞に基づく抽選結果を別の抽選結果記憶手段に保存し、表示制御手段が開閉処理の終了後に上記別の抽選結果記憶手段に保存されていた抽選結果を上記抽選結果記憶手段に記憶することにより、この抽選結果記憶手段に記憶された抽選結果に基いて図柄変動表示及び図柄停止表示を行うので、請求項６の構成において請求項５の効果が得られる。
【０００６】
【発明の実施の形態】
実施形態１
図１はパチンコ機の構成を示すブロック図、図２はパチンコ機の制御の流れの概要を示す図、図３は当たり外れ知識を示す図、図４は表示画面を分割した複数の表示領域を示す図、図５は抽選結果記憶手段とタイマとの関係を示す図である。
図１に示すようにパチンコ機は遊技盤１の前面である意匠盤面１ａにおいてガイドレール２で囲まれた内側の遊技領域３に始動入賞部品４、図柄表示器５、可変入賞部品６を備える。ガイドレール２の外側部分と内側部分との間は球通路８になっている。始動入賞部品４としては遊技領域３から球を取込んで遊技盤１の裏側に排出する取込型や遊技領域３から球を取込んで遊技領域３に排出する球通過型がある。図柄表示器５は液晶表示器のように電気的に表示形態の変えられる画像を表示画面５０に表示する表示器である。可変入賞部品６は前後方向に開閉する開閉体１２を有するアタッカーや大入賞口と呼ばれるような形態である。また、始動入賞部品４に取込まれた球を検出する始動入賞球検出器１１、電気的に動作して可変入賞部品６の開閉体１２を開閉するアクチュエータ１３、開閉体１２の開放中に可変入賞部品６に取込まれた球を検出する可変入賞球検出器１４、遊技盤１の裏側又は遊技盤１を格納した図外の遊技機枠の裏側に設けられた主制御装置１５を備える。始動入賞部品４に取込まれた球が始動入賞球検出器１１で検出されることで始動入賞となる。
【０００７】
主制御装置１５は主制御装置１５に内蔵したマイクロコンピュータ及びこのマイクロコンピュータを動作させるＲＯＭに格納されたプログラムで具現化される入賞検出手段２１、当たり外れ抽選手段２２、当たり外れ抽選カウンタ２３、抽選結果取得手段２４、抽選結果記憶手段２５、開閉駆動手段２６、タイマ群２７、遊技制御手段２８を備える。ＲＯＭには当たり外れ知識３０を備える。
【０００８】
図柄表示器５は表示制御装置４１を備え、表示制御装置４１は表示制御手段４２を備える。表示制御手段４２は、表示制御手段に内蔵したマイクロコンピュータ及びこのマイクロコンピュータを動作させるＲＯＭに格納されたプログラムで具現化される抽選結果記憶手段４３、タイマ群４４、画面分割手段４５、対応テーブル４６、分割制御プログラム４７、その他図外の画像処理用ＬＳＩ、キャラクタＲＯＭ等を備える。即ち、実施形態１のパチンコ機の制御装置は、主制御装置１５と表示制御装置４１とを備える。
【０００９】
主制御装置１５が電力供給で起動し、図外の遊技機枠の前側に設けられた図外の受皿に球が入れられた状態において、遊技者が遊技機枠の前側に設けられた球発射操作機構６１を操作すると、主制御装置１５が遊技機枠の内部に設けられた球発射機構６２を駆動し、球発射機構６２が受皿から供給された球を１個ずつ球発射操作機構６１による操作量に応じた発射力で遊技領域３に向けて発射する。そして、遊技領域３に発射された球が始動入賞部品４に入賞すると、始動入賞球検出器１１が始動入賞検出信号を入賞検出手段２１に出力する。一方、遊技領域３には始動入賞部品４や可変入賞部品６以外の図示を省略した入賞部品も設けられており、上記遊技領域３に発射された球が図外の入賞部品に入賞した場合には、その入賞部品に入賞した球を検出した図外の球検出器が入賞検出信号を入賞検出手段２１に出力する。そのようなことから、主制御装置１５の入賞検出手段２１は入賞信号が主制御装置１５のマイクロコンピュータに入力された入力ポートの位置の違いで、どの入賞部品に対応する球検出器からの入賞検出信号であるかを識別する。
【００１０】
始動入賞があれば（図２のステップ１０１でＹＥＳ）、入賞検出手段２１は当たり外れ抽選手段２２、遊技制御手段２８に始動入賞検出信号を識別した判断結果を出力し、これにより当たり外れ抽選手段２２が当たり外れ抽選を行う（図２のステップ１０２）。当たり外れ抽選手段２２は始動入賞検出信号を識別した判断結果に相当する始動入賞検出信号の入力タイミングで当たり外れ抽選カウンタ２３のカウンタ値を乱数値として取得し、取得した乱数値を当たり外れ知識３０に照合して、当たり外れ知識３０から乱数値に対応する当たり又は外れを抽選結果として抽出する。
【００１１】
当たり外れ知識３０は、例えば図３に示すように、乱数値Ａに対応して当たり外れ識別子３２、図柄表示制御情報３３を持たせたデータを乱数値Ａの数だけ格納したデータテーブル３５より構成される。従って、抽選結果取得手段２４が抽選により決定した当たり外れ識別子３２と図柄表示制御情報３３とから成る抽選結果３６をデータテーブル３５から取得して遊技制御手段２８と表示制御装置４１とにパラレルに転送し、遊技制御手段２８は送られてきた抽選結果３６を抽選結果記憶手段２５（以下、「主制御装置側抽選結果記憶手段」という）に記憶し、表示制御手段４２は送られてきた抽選結果３６を抽選結果記憶手段４３（以下、「表示制御装置側抽選結果記憶手段」という）に記憶する。尚、抽選結果取得手段２４は抽選結果３６に表示制御装置側抽選結果記憶手段４３の記憶領域４３ａのアドレスを付けて当該抽選結果３６を主制御装置側抽選結果記憶手段２５に記憶するとともに表示制御装置４１に送り、表示制御手段４２は抽選結果３６に付けられたアドレスに対応する表示制御装置側抽選結果記憶手段４３の記憶領域４３ａに当該抽選結果３６を記憶する。図柄表示制御情報３３は例えば後述する表示領域５１の左縦列５４、中央縦列５５、右縦列５６に停止表示させる図柄に関する情報である（図３，４参照）。また、図柄変動表示時間は一定時間に決められている。また、当たりの抽選結果には当たり遊技中の図柄表示に関する図柄表示制御情報も含まれている。尚、当たりの抽選結果３６は例えば図３に示すように当たり外れ識別子３２としての当たりを示すビット情報「１」と図柄表示器５の表示領域５１に当たり図柄を停止表示させるための図柄表示制御情報３３とからなる。
【００１２】
表示制御手段４２の画面分割手段４５は、図柄表示器５の表示画面５０を予め設定された数の表示領域に分割するための分割制御プログラム４７に基いて、例えば、図４に示すように表示画面５０を９つの表示領域５１に等分割する。画面分割手段４５は、例えば、主制御装置１５から抽選結果を入力した場合において表示制御装置側抽選結果記憶手段４３にデータがあるか否かを判定し、データがない場合には表示画面５０を予め設定された数の表示領域５１に等分割する。即ち、画面分割手段４５は遊技開始後又は当たり遊技による開閉処理後の最初の始動入賞に基づく抽選結果が入力された場合に表示画面５０を予め設定された数の表示領域５１に等分割する。
【００１３】
各抽選結果記憶手段２５，４３は抽選結果３６を記憶する複数の記憶領域を２つ以上備える。
表示制御手段４２は、表示制御装置側抽選結果記憶手段４３の記憶領域４３ａのアドレスと表示領域５１との関係を対応付けた対応テーブル４６を備えており、表示制御手段４２が表示制御装置側抽選結果記憶手段４３の記憶領域４３ａに抽選結果３６を記憶した際に、記憶領域４３ａのアドレスを読み取り、そのアドレスを対応テーブル４６に照合し、そのアドレスに対応した決められた表示領域５１においてそのアドレスの記憶領域４３ａに記憶された抽選結果３６に基づく図柄表示制御を行う。
主制御装置側抽選結果記憶手段２５は図５に示すように記憶領域２５ａ毎に対応するようにタイマ群２７のタイマ２７ａが１つ１つ対応付けられており、遊技制御手段２８は主制御装置側抽選結果記憶手段２５の記憶領域２５ａに抽選結果３６を記憶した際にその記憶領域２５ａ毎に対応付けられたタイマ２７ａを起動する。また、表示制御装置側抽選結果記憶手段４３も同様に、記憶領域４３ａ毎に対応するようにタイマ群４４のタイマ４４ａが１つ１つ対応付けられており、表示制御手段４２が表示制御側抽選結果記憶手段４３の記憶領域４３ａに抽選結果３６を記憶した際にその記憶領域４３ａ毎に対応付けられたタイマ４４ａを起動する。尚、上述したタイマ２７ａ、４４ａには一定の図柄変動表示時間が設定される。即ち、抽選結果３６は各抽選結果記憶手段２５，４３にパラレルに記憶されるので、表示制御装置４１側で表示制御手段４２が表示制御装置側抽選結果記憶手段４３に抽選結果３６を記憶してからタイマ４４ａに設定された一定の図柄変動表示時間が経過するのを、主制御装置１５側で遊技制御手段２８が主制御装置側抽選結果記憶手段２５の記憶領域２５ａに抽選結果３６を記憶してからタイマ２７ａに設定された一定の図柄変動表示時間が経過することに置き換えてこのタイマ２７ａのタイムアップを判定することで確認している。即ち、１つの抽選結果３６に対応するタイマ２７ａとタイマ４４ａを備える。尚、タイマ２７ａ、４４ａに一定の図柄変動表示時間を設定しても、同じ抽選結果３６が転送時間の分だけ表示制御装置側抽選結果記憶手段４３に遅く記憶され、タイマ２７ａは実際の表示制御手段４２による図柄変動表示時間よりも早くタイムアップするので、実際の図柄変動表示時間をタイマ２７ａで検出して当たり外れを認識することにより後述する禁止処理を行えば、異なる表示領域５１に当たり図柄が２つ以上停止表示されることがなくなる。このようにすれば、タイマ２７ａ、４４ａに一定の図柄変動表示時間が設定すれば抽選結果を判定するだけで異なる表示領域５１に当たり図柄が２つ以上停止表示されないようにでき、遊技制御手段２８での処理を容易にできる。尚、タイマ４４ａに設定された時間より長い時間を対応するタイマ２７ａに設定したり、対応するタイマ２７ａ，４４ａ毎に一定でない図柄変動表示時間を設定すると、２つ以上のタイマ２７ａが同時にタイムアップして異なる表示領域５１に当たり図柄が２つ以上停止表示されることが有り得るが、この場合は、同時にタイムアップしたタイマ２７ａが対応する抽選結果３６のうちの一以外の抽選結果３６に基づく図柄表示を外れ図柄で停止表示させればよい。ただし、このように処理する機能を遊技制御手段２８に付加する必要がある。
【００１４】
遊技制御手段２８は、タイマ２７ａがタイムアップした場合にタイムアップ信号を受けてこのタイマ２７ａが対応する記憶領域２５ａに記憶された抽選結果３６の当たり外れ識別子３２が当たりであるか外れであるかを判定し、当たりであれば、表示領域５１に当たり図柄が停止表示されて当たりが確定したと認識して（図２のステップ１０３でＹＥＳ）、禁止処理を行う。禁止処理は、開閉駆動手段２６に開閉制御信号を出力するともに、主制御装置側抽選結果記憶手段２５に記憶されている当該当たりの抽選結果３６以外のすべての抽選結果３６を消去してかつタイマ２７ａを止め、さらに、表示制御装置４１に抽選結果消去信号及び図柄変動停止信号を出力する。表示制御手段４２は、抽選結果消去信号を受けて、表示制御装置側抽選結果記憶手段４３に記憶されている当該当たりの抽選結果３６以外の抽選結果３６を消去してかつタイマ４４ａを止めるとともに、図柄変動停止信号を受けて、当たり図柄が停止表示されている表示領域５１以外の表示領域５１の図柄変動を強制的に停止する（図２のステップ１０４）。従って、当該当たりの抽選結果３６以外の抽選結果３６中に当たりの抽選結果３６があってその抽選結果３６によりいずれかの表示領域５１で図柄変動中であってもその図柄変動は途中で強制的に外れ図柄で停止されるので当たり図柄で停止表示されることはない。また、開閉駆動手段２６は開閉制御信号を受けて可変入賞部品６の開閉体１２の開閉処理を行い（図２のステップ１０５）、遊技者に当たり遊技が提供される。以上により、表示画面５０を分割した複数の表示領域５１上において２つ以上の当たり図柄が停止表示されることがなくなり、２つ以上の当たりが確定することはないので、可変入賞部品６の開閉体１２が動作不能となるような事態を防止できる。
【００１５】
また、遊技制御手段２８は、タイマ２７ａがタイムアップした場合にタイムアップ信号を受けてこのタイマ２７ａが対応する主制御装置側抽選結果記憶手段２５の記憶領域２５ａに記憶された抽選結果３６の当たり外れ識別子３２が当たりであるか外れであるかを判定し、外れであれば（図２のステップ１０３でＮＯ）、その記憶領域２５ａに記憶されているその抽選結果３６を消去するとともに、抽選結果３６が消去された記憶領域２５ａに新しい始動入賞に基づく抽選結果３６を記憶する。また、表示制御手段４２に抽選結果消去信号を送り、表示制御装置側抽選結果記憶手段４３に記憶されているその抽選結果３６を消去させ、表示制御手段４２は抽選結果３６が消去された記憶領域４３ａに主制御装置１５から送られてくる新しい始動入賞に基づく抽選結果３６を記憶して、対応する表示領域５１に図柄変動表示を行う。この場合、外れの抽選結果３６に基づいて対応する表示領域５１に外れ図柄が停止表示される（図２のステップ１０６）。
尚、抽選結果消去信号は、主制御装置側抽選結果記憶手段２５に記憶されていた抽選結果３６に付いていた表示制御装置側抽選結果記憶手段４３の記憶領域４３ａのアドレスを指定して消去コマンドを送ればよい。また、表示制御手段４２は各表示領域５１における図柄の変動及び停止を確認しているので、図柄変動停止信号を受けて、当たり図柄が停止表示されている表示領域５１以外の表示領域５１の図柄変動を強制的に停止することは容易である。
【００１６】
当たり遊技においては、開閉駆動手段２６が開閉制御信号に基いて可変入賞部品６の開閉体１２を所定回数又は所定時間開閉する遊技が行われる。そして、遊技領域３に発射された球が開閉体１２の開放中に可変入賞部品６に入賞すると、当該入賞した球を検出した可変入賞球検出器１４が入賞検出手段２１に可変入賞検出信号を出力し、入賞検出手段２１が当該可変入賞検出信号に基づく賞球払出信号を球払出制御部６３に出力し、球払出制御部６３は球払出機構６４を制御する。これにより、球払出機構６４が始動入賞に対応する数の賞球としての換金性の有る球を受皿に払い出す。尚、当たり遊技では、可変入賞部品６内に入った球により特定の条件が満たされれば開閉体１２が閉じられた後に再び開くが、特定の条件が満たされなければ開閉体１２が閉じて当たり遊技が終了する。例えば、球が可変入賞部品６の図外の普通入賞部に特定数（例えば１０個）入賞するまでの間に可変入賞部品６の図外の特定入賞部への入賞があったという条件や、所定の時間内に特定入賞部への入賞があったという条件などの特定の条件を満たす度に開閉体１２は一旦閉じられる。この一旦閉じるまでの間をラウンドといい、特定の条件が成立すれば、ラウンドは所定回数までは継続する。従って、例えば最大ラウンド数が１６ラウンドであるとすれば、特定の条件が成立すれば、１６ラウンドまで継続する。特定の条件が成立しなければ条件が成立しなかったラウンドでラウンド継続が終了して、当たり遊技が終了する。
【００１７】
当たり遊技による可変入賞部品６の開閉処理が終了したら、遊技制御手段２８はこの当たり遊技が終了した当たりの抽選結果３６を主制御装置側抽選結果記憶手段２５より消去し、また、表示制御装置４１に抽選結果消去信号を送出して、表示制御手段４２が当たり遊技が終了した当たりの抽選結果３６を表示制御装置側抽選結果記憶手段４３より消去する。
【００１８】
上記では、表示領域５１の図柄変動を強制停止する際に、各抽選結果記憶手段２５，４３に記憶されている当たりで停止表示した抽選結果３６以外の抽選結果３６を消去したので、当たり確定前に、当該当たり以外に当たりが抽選されている場合でも、この抽選による当たりの抽選結果が当たり遊技以後に持ち越されないようにできる。
【００１９】
尚、当たり遊技による開閉処理中に始動入賞があった場合はこれを無効としてもよいし、有効としてもよい。無効とする場合は、入賞検出手段２１から当たり外れ抽選手段２２への始動入賞検出信号の入力タイミング信号の出力を禁止すればよい。
有効とする場合は、主制御装置側抽選結果記憶手段２５の空いている記憶領域２５ａに抽選結果３６を記憶し、当たり遊技による開閉処理が終了したら、遊技制御手段２８がこの記憶された抽選結果３６をシリアルに表示制御装置４１に出力する。そして、表示制御手段４２は送られてきた抽選結果３６を表示制御装置側抽選結果記憶手段４３に記憶して図柄制御を行う。これによれば、当たり遊技の開閉処理中の始動入賞による抽選結果３６が当たり遊技の開閉処理終了後に持ち越されるので遊技者に有利な遊技を提供できる。
【００２０】
尚、１つの表示領域５１においては例えば図４に示すように３×３の縦横９つの碁盤目状の表示目５３に９つの図柄が停止表示される。図柄変動表示は、左縦列５４、中央縦列５５、右縦列５６において抽選結果３６の図柄表示制御情報３３により図柄が例えば上から下方向に変動するよう表示され、当たり外れ抽選結果が当たりであれば、横３列の内のいずれかの列、連続する３つの表示目から成る２つの斜め列のうちのいずれかの列に当たり図柄が揃うように停止表示される。
また、１つの表示領域５１において、１つの当たり図柄を表示させるようにしてもよい。
【００２１】
実施形態１では、遊技制御手段２８が主制御装置側抽選結果記憶手段２５に抽選結果３６を記憶する際に図柄変動時間を計測するタイマ２７ａを起動させて抽選結果３６による図柄変動時間の経過を判定する図柄変動時間経過判定手段２８ａと、この図柄変動時間経過判定手段２８ａにより図柄変動表示時間が経過したと判定された抽選結果３６の当たり外れを認識し、抽選結果３６の当たりを認識した場合に表示制御装置側抽選結果記憶手段４３に記憶されている当該当たりの抽選結果３６以外の抽選結果３６を消去して当該当たり抽選結果３６以外の抽選結果３６による当たり図柄での停止表示を禁止する当たり外れ認識手段２８ｂとから成る禁止手段２８Ａの機能を備える。
【００２２】
実施形態１では、各抽選結果記憶手段２５，４３は抽選結果３６を記憶する複数の記憶領域を２つ以上備え、複数の表示領域５１に図柄変動表示を行わせることができるので、始動入賞による図柄合わせ遊技を早く消化させることができるとともに、禁止手段２８Ａを備えるので、可変入賞部品６の開閉体１２が動作不能となるような事態を防止できる。また、主制御装置１５及び表示制御装置４１のそれぞれに抽選結果記憶手段２５，４３を備え、表示制御装置４１によって表示制御を行い、主制御装置１５側で図柄変動時間を監視して禁止処理を行っているので、表示制御装置４１は主制御装置１５に対して信号を送る必要がなく表示制御のみを行えばよいので、表示制御装置４１が表示制御のみに専念でき、表示制御の高速化が図れる。
【００２３】
さらに具体的に説明する。例えば、表示画面５０を２つの表示領域５１に分割する場合において、遊技開始後又は当たり遊技の開閉処理後の最初の始動入賞に基づく当たり外れ抽選結果３６が当たりであり、２番目の始動入賞に基づく当たり外れ抽選結果３６も当たりであるとする。この場合、これら２つの抽選結果３６に基いて表示制御手段４２が２つの表示領域５１にそれぞれ図柄を変動表示した後に、最初の始動入賞に基づく当たりの抽選結果により１つの表示領域５１での変動表示が当たりの図柄で停止表示する。すると、最初の抽選結果３６が記憶された記憶領域２５ａに対応するタイマ２７ａがタイムアップして遊技制御手段２８にタイムアップ信号が出力され、遊技制御手段２８は当たりが確定したことを認識したならば、当たり図柄が停止表示されている表示領域５１以外の表示領域５１の図柄変動を強制的に停止するとともに、抽選結果記憶手段２５，４３に記憶されている２番目の抽選結果３６を消去する。これにより、可変入賞部品６の開閉体１２が動作不能となるような事態を防止できる。
【００２４】
また、画面分割手段４５が表示画面５０を例えば図４に示すように９つの表示領域▲１▼〜▲９▼に分割する場合において、表示制御装置側抽選結果記憶手段４３の記憶領域４３ａが９つであるとすれば、記憶領域▲１▼〜▲９▼に抽選結果▲１▼〜▲９▼が記憶されると、記憶領域▲１▼〜▲９▼毎に対応付けられた表示領域▲１▼〜▲９▼にその抽選結果▲１▼〜▲９▼に基づく図柄表示制御が行われる。この場合において、遊技開始後又は当たり遊技の開閉処理後の最初の始動入賞に基づく当たり外れ抽選結果▲１▼が外れであり、次の始動入賞に基づく当たり外れ抽選結果▲２▼が当たりであり、その後のいくつかの始動入賞に基づく抽選結果のうちいくつかの抽選結果３６が当たりの抽選結果３６であったとする。この場合、表示制御手段４２は、最初の始動入賞による当たりの抽選結果▲１▼を入力して例えば図４の表示領域▲１▼において最初の抽選結果▲１▼に基づく図柄変動表示を行う。その後、表示制御手段４２は、主制御装置１５から送られてくる例えば抽選結果▲２▼〜▲９▼に基いてそれぞれ対応する表示領域▲２▼〜▲９▼で変動表示を行う。そして、遊技制御手段２８は最初の抽選結果▲１▼に基づく図柄変動時間が経過したことをタイマ２７ａから取得し、各抽選結果記憶手段２５、４３に記憶された抽選結果▲１▼を消去する。その後１０番目の始動入賞があればこの始動入賞に基づく抽選結果が主制御装置側抽選結果記憶手段２５の空いた記憶領域▲１▼に記憶され、かつ、この１０番目の抽選結果が表示制御装置４１に出力されると表示制御手段４２はこの抽選結果を空いた記憶領域▲１▼に記憶し、表示領域▲１▼において１０番目の抽選結果に基づく図柄変動表示を行う。２番目の当たりの抽選結果▲２▼に基づいて例えば表示領域▲２▼に当たり図柄が停止表示されると、遊技制御手段２８は２番目の抽選結果▲２▼に基づく図柄変動時間が経過したことをタイマ２７ａから取得して、当たり確定を認識したならば図柄が停止表示されている表示領域▲２▼以外の表示領域▲１▼、▲３▼〜▲９▼における図柄変動を強制的に停止し、抽選結果記憶手段２５，４３に記憶されている３番目〜１０番目の抽選結果▲３▼〜▲９▼，▲１▼を消去する。従って、もし、３番目〜１０番目の抽選結果▲３▼〜▲９▼，▲１▼のいくつかの抽選結果が当たりであっても、これら当たりの抽選結果３６に基づく図柄変動は当たり図柄で停止表示されることなく、複数の表示領域５１において２つ以上の当たりが確定することはないので、可変入賞部品６の開閉体１２が動作不能となるような事態を防止できる。
【００２５】
実施形態２
実施形態１では、表示領域５１の図柄変動を強制停止する際に、抽選結果記憶手段２５，４３に記憶されている当該当たり図柄を停止表示した抽選結果３６以外の抽選結果３６を消去して、当たり確定前に、当該当たり以外にも当たりが抽選されている場合でも、この当たりの抽選結果が当たり遊技以後に持ち越されないようにしたが、この当たり抽選結果を当たり遊技以後に持ち越すようにしてもよい。
即ち、１つの表示領域５１で当たり図柄が停止表示された場合、遊技制御手段２８はこの当たり抽選結果３６以外の抽選結果３６を表示制御装置側抽選結果記憶手段４３から消去してタイマ４４ａを止める一方、主制御装置側抽選結果記憶手段２５にすべての抽選結果３６を記憶させつづけるようにして（タイマ２７ａは止める）、当たり遊技による開閉処理が終了したことを検出したら主制御装置側抽選結果記憶手段２５に残っている当たり抽選結果３６以外の抽選結果３６を表示制御装置４１に再送し、これにより、表示制御手段４２がこれら抽選結果を表示制御装置側抽選結果記憶手段４３に記憶して、これら抽選結果３６に基づいて図柄制御を行うようにすればよい。これによれば、当たり遊技確定前に、当該当たり以外にも当たりが抽選されている場合において、この当たりの抽選結果が当たり遊技以後も持ち越されるので、遊技者に有利な遊技を提供できる。つまり、当たり図柄が停止表示された表示領域５１以外の強制停止された表示領域５１に対応する抽選結果３６が当たり図柄で停止する抽選結果３６である場合もあるので、この当たりを得る権利が当たり遊技以後も持ち越されるようになる。尚、この場合、主制御装置側抽選結果記憶手段２５の空いている記憶領域２５ａに開閉処理中の始動入賞に基づく当たり外れ抽選結果３６を記憶したり、あるいは、開閉処理中の始動入賞に基づく当たり外れ抽選結果３６を記憶する記憶領域及びタイマを主制御装置１５に別途専用に設けることにより、開閉処理中の始動入賞に基づく当たり外れ抽選結果３６を当たり遊技以後に持ち越すことも可能である。
【００２６】
実施形態３
画面分割手段４５に、画面分割数や画面分割形態を抽選する機能を設けてもよい。例えば、図示しないが、画面分割手段４５に当たり外れ抽選と同様の画面分割抽選カウンタと画面分割知識とを設け、遊技開始後又は開閉処理後に抽選結果３６を最初に入力したタイミングで画面分割抽選カウンタより数値等の識別子を取得し、取得した識別子を当たり画面分割知識に照合して、画面分割知識から識別子に対応する画面分割抽選結果を抽出するようにすればよい。画面分割知識は、例えば識別子に対応して画面分割数情報や画面分割形態情報を持たせたデータを識別子の数だけ格納したデータテーブルより構成される。この場合、抽選結果取得手段２４は、画面分割数情報や画面分割形態情報である画面分割抽選結果を抽選結果３６に付加して表示制御装置４１に送信する。表示制御手段４２は抽選結果３６に含まれる画面分割数情報や画面分割形態情報に基いて画面分割を行う。
この場合、遊技開始後又は開閉処理後の最初の始動入賞に基いて画面分割数や画面分割形態が変わり得るので、遊技性を向上できる。
【００２７】
実施形態４
各実施形態では、いずれか１つの表示領域５１において当たり図柄で停止表示されて遊技制御手段２８が抽選結果の当たりを認識した場合に表示制御装置側抽選結果記憶手段４３に記憶されている当該当たり抽選結果３６以外の抽選結果３６を消去して当該当たり抽選結果３６以外の抽選結果３６による図柄変動を各表示領域５１において外れ図柄で停止させたが、いずれか１つの表示領域５１において当たり図柄で停止表示されて遊技制御手段２８が抽選結果の当たりを認識した場合に表示制御装置側抽選結果記憶手段４３に記憶されている当該当たり抽選結果３６以外の抽選結果３６を消去して当該当たり抽選結果３６以外の抽選結果３６による各表示領域５１での図柄が表示されないよう当たり図柄で停止表示された表示領域５１を拡大させる制御信号を表示制御手段４２に送るようにしてもよい。この場合、当たり図柄での停止表示が拡大表示されるので、遊技者が当たりを確認しやすくなる。また、いずれか１つの表示領域において当たり図柄で停止表示されて遊技制御手段２８が抽選結果の当たりを認識した場合に表示制御装置側抽選結果記憶手段４３に記憶されている当該当たり抽選結果３６以外の抽選結果３６を消去してその他の表示領域５１での図柄を非表示としてもよい。
【００２８】
実施形態５
上記各実施形態では、主制御装置側抽選結果記憶手段２５と表示制御装置側抽選結果記憶手段４３を設け、主制御装置１５で禁止処理を行ったが、表示制御装置４１にのみ抽選結果記憶手段４３を備えて、表示制御装置４１により禁止処理を行うようにしてもよい。即ち、表示制御手段４２に、抽選結果記憶手段４３に抽選結果３６を記憶する際に図柄変動時間を計測するタイマ４４ａを起動させて抽選結果３６による図柄変動時間の経過を判定する図柄変動時間経過判定手段２８ａと、この図柄変動時間経過判定手段２８ａにより図柄変動表示時間が経過したと判定された抽選結果３６の当たり外れを認識し、抽選結果３６の当たりを認識した場合に抽選結果記憶手段４３に記憶されている当該当たりの抽選結果３６以外の抽選結果３６を消去して当該当たり抽選結果３６以外の抽選結果３６による当たり図柄での停止表示を禁止する当たり外れ認識手段２８ｂとから成る禁止手段２８Ａの機能を持たせればよい。尚、この場合、表示制御手段４２で抽選結果３６の当たりを認識した場合には主制御装置１５にその旨を知らせて開閉処理を行わせる。このように表示制御装置４１に禁止手段２８Ａの機能を負担させることで、主制御装置１５の負担を軽減できる。
また、この場合、図示しないが表示制御装置４１にもう１つ別の抽選結果記憶手段を設け、表示制御手段４２が抽選結果３６の当たりを認識した場合に当該当たりの抽選結果３６以外の抽選結果３６を抽選結果記憶手段４３から上記別の抽選結果記憶手段に転送して保存し、表示制御手段４２が開閉処理の終了後に上記別の抽選結果記憶手段に保存されていた抽選結果３６を上記抽選結果記憶手段４３に記憶することにより、表示制御手段４２がこの抽選結果記憶手段４３に記憶された抽選結果３６に基いて図柄変動表示及び図柄停止表示を行うようにすれば、当たり遊技確定前に、当該当たり以外にも当たりが抽選されている場合において、この当たりの抽選結果が当たり遊技以後も持ち越されるので、遊技者に有利な遊技を提供できる。
また、表示制御手段４２が開閉処理中の始動入賞に基づく抽選結果を上記別の抽選結果記憶手段に保存し、表示制御手段４２が開閉処理の終了後に上記別の抽選結果記憶手段に保存されていた抽選結果３６を抽選結果記憶手段４３に記憶することにより、表示制御手段４２がこの抽選結果記憶手段４３に記憶された抽選結果に基いて図柄変動表示及び図柄停止表示を行うようにすれば、当たり遊技の開閉処理中の始動入賞による抽選結果が当たり遊技以後に持ち越されるので遊技者に有利な遊技を提供できる。
【００２９】
尚、各実施形態では、禁止処理において表示制御装置側抽選結果記憶手段４３に記憶されている当たり抽選結果以外の抽選結果３６を消去したが、当たり抽選結果３６以外の抽選結果３６に基づく図柄変動を表示領域５１において強制的に停止させるとともに、当たり抽選結果３６以外の抽選結果３６に基づく表示制御手段４２の図柄制御を中止させるようにすればよい。
【図面の簡単な説明】
【図１】本発明の実施形態１によるパチンコ機のブロック構成図。
【図２】同パチンコ機の制御の流れの概要を示す図。
【図３】同パチンコ機の当たり外れ知識を示す図。
【図４】同パチンコ機の表示画面を分割した複数の表示領域を示す図。
【図５】同パチンコ機の抽選結果記憶手段とタイマとの関係を示す図。
【符号の説明】
４　始動入賞部品、５　図柄表示器、６　可変入賞部品、１２　開閉体、
１５　主制御装置、２５　主制御装置側抽選結果記憶手段、
２７ａ，４４ａ　タイマ、２８　遊技制御手段、２８Ａ　禁止手段、
２８ａ　図柄変動時間経過判定手段、２８ｂ　当たり外れ認識手段、
４１　表示制御装置、４２　表示制御手段、
４３　表示制御装置側抽選結果記憶手段、４５　画面分割手段、５０　表示画面、５１　表示領域、６４　球払出機構。
【図１】
2004105711.tif 000003
【図２】
2004105711.tif 000004
【図３】
2004105711.tif 000005
【図４】
2004105711.tif 000006
【図５】
2004105711.tif 000007